(57)【特許請求の範囲】
【請求項１】
装置本体とドアとからなり販売する商品を外部から視認可能な自動販売機において、前記装置本体を上下に上室と下室とに仕切る第一断熱壁と、前記上室と前記下室の両側にそれぞれ配置され商品を冷却する冷熱装置と、前記第一断熱壁に設けられ前記上室の前記冷熱装置からの水を排水する貫通穴と、前記貫通穴に設けられ前記上室の前記冷熱装置から排出される水を前記下室の底面へと導く排水管と、前記下室の冷風が直接前記排水管に当たって前記排水管を流れる水が凍るのを防ぐ断熱性の案内板とを設けたことを特徴とした自動販売機。
【請求項２】
前記案内板は、前記排水管が前記貫通穴より外れる事態が起きた場合に、前記貫通穴より前記下室へ流れる水が、前記下室の前記冷熱装置及びファンにかからずに、前記案内板を伝って落ちるように、前記排水管を下方より支持し前記下室の側面に向かって下方に傾斜していることを特徴とした請求項１記載の自動販売機。
【請求項３】
前記案内板に、前記排水管を保持するストッパーと、自動販売機の運転時の振動により前記排水管が容易に外れず前記排水管の取り付け取り外しができるように前記ストッパーと前記案内板をロックするロック部とを設けたことを特徴とした請求項１または２記載の自動販売機。
【発明の詳細な説明】
【０００１】
【発明の属する技術分野】
本発明は主としてショーケースによる商品の販売を自動化した自動販売機に関するものである。
【０００２】
【従来の技術】
従来の、販売する商品が外部から視認可能である自動販売機としては特開平７−１２１７６５号公報に示されているものがある。図８は従来のショーケースによる商品の販売を自動化した自動販売機である。図８において自動販売機８１はキャビネット８２内に商品を陳列した装置本体８３と、装置本体８３と上下にヒンジにより軸支されたドア８４とで構成されている。ドア８４には、キャビネット８２内に陳列した商品を外部から視認できるように透明のパネル体８５で広く窓が形成されている。パネル体８５は断熱を考慮して透明な二重ガラスなどで構成されている。パネル体８５に併設された接客部８６には、上から硬貨投入口８７、返却レバー８８、紙幣投入口８９、ドアハンドル８ａ、返却口８ｂおよび販売口８ｃが設けられており、これに対応するドア８４の内側には、コインメカニズム、紙幣識別装置および販売口ボックスなどが設けられている。
【０００３】
【発明が解決しようとする課題】
現在の省人化が要求されるスーパーマーケットなどの店舗では、季節により気温が変化することによる消費者の求める商品の変化に対応して多品種の商品を扱うことのできる自動販売機が求められている。上記の販売する商品が外部から視認可能である自動販売機では装置本体が１つの庫内となるため販売する商品は、冷熱装置によりすべて加温またはすべて冷却される。
【０００４】
本発明は、このような問題点に鑑みてなされたものであり、装置本体に配置された内箱を上下方向に分割する断熱壁を設け上室と下室の両室で加温または冷却することを目的としている。
【０００５】
【課題を解決するための手段】
本発明の自動販売機は、装置本体とドアとからなり販売する商品を外部から視認可能な自動販売機において、前記装置本体を上下に上室と下室とに仕切る第一断熱壁と、前記上室と前記下室の両側にそれぞれ配置され商品を冷却する冷熱装置と、前記第一断熱壁に設けられ前記上室の前記冷熱装置からの水を排水する貫通穴と、前記貫通穴に設けられ前記上室の前記冷熱装置から排出される水を前記下室の底面へと導く排水管と、前記下室の冷風が直接前記排水管に当たって前記排水管を流れる水が凍るのを防ぐ断熱性の案内板とを設けたことを特徴としたものである。
【０００６】
この本発明によれば、外部から販売する商品を視認可能とする自動販売機において、前記第一断熱壁によって仕切られた上室と下室の両側に冷熱装置を配置することができ、加温された商品と冷却された商品を同時に販売することができる。
【０００７】
【発明の実施の形態】
本発明の請求項１に記載の発明は、装置本体とドアとからなり販売する商品を外部から視認可能な自動販売機において、前記装置本体を上下に上室と下室とに仕切る第一断熱壁と、前記上室と前記下室の両側にそれぞれ配置され商品を冷却する冷熱装置と、前記第一断熱壁に設けられ前記上室の前記冷熱装置からの水を排水する貫通穴と、前記貫通穴に設けられ前記上室の前記冷熱装置から排出される水を前記下室の底面へと導く排水管と、前記下室の冷風が直接前記排水管に当たって前記排水管を流れる水が凍るのを防ぐ断熱性の案内板とを設けたものである。この本発明によれば、外部から販売する商品を視認可能とする自動販売機において、前記第一断熱壁によって仕切られた上室と下室の両側に冷熱装置を配置することができ、加温された商品と冷却された商品を同時に販売することができる。また、下室の冷風が直接排水管に触れて、排水管の中の水が凍ることを防ぐことができる。
【０００８】
また、本発明の請求項２に記載の発明は、請求項１記載の発明における前記案内板は、前記排水管が前記貫通穴より外れる事態が起きた場合に、前記貫通穴より前記下室へ流れる水が、前記下室の前記冷熱装置及びファンにかからずに、前記案内板を伝って落ちるように、前記排水管を下方より支持し前記下室の側面に向かって下方に傾斜しているものである。この本発明によれば、もし、排水管が上室の排水手段より外れる事態が起きたとしても上室の排水口より下室へ流れる水は案内板を伝って落ちることにより、下室に設けられたファンと蒸発装置に水がかかることはなく前記ファンと前記蒸発装置の凍結を防ぐことができる。
【０００９】
また、本発明の請求項３に記載の発明は、請求項１または２記載の発明における前記案内板に、前記排水管を保持するストッパーと、自動販売機の運転時の振動により前記排水管が容易に外れず前記排水管の取り付け取り外しができるように前記ストッパーと前記案内板をロックするロック部とを設けたことを特徴としており、この本発明によれば、自動販売機の組立作業またはサービス時の作業において前記排水管の取り付け、取り外しが確実であり、また、自動販売機の運転時の振動により前記排水管が容易に外れない。
【００１２】
以下、本発明の実施の形態について、図１から図７を用いて説明する。
（実施の形態１）
図１は、本発明の実施の形態１における自動販売機の斜視図である。図１において、１は販売する商品を外部から視認可能とするパネル体であり、断熱を考慮してガラスなどの二重構造としている。また、ドア２はパネル体１と、硬貨投入口３と商品選択ボタン４と硬貨返却口５とで構成される接客部６と、販売された商品を受け取る商品取り出し装置７から構成されている。図２は装置本体の内部斜視図である。装置本体２１は、外箱２２と断熱された内箱２３と、パネル体２４に対向して位置された販売する商品を収容する商品収容棚２５と、販売する商品を販売指令に基づいて搬送する商品搬送装置２６と、接客部６に対向して配置された販売指令に基づいて商品搬送装置２６を作動させる制御装置２７と、制御装置２７に対向して上室２ａと下室２ｂに配置された販売する商品を加温または冷却する冷熱装置３８とで構成されている。ここで、冷熱装置３８は上室２ａに配置された蒸発装置４６ａと下室２ｂに配置された蒸発装置４６ｂをもち、上室２ａと下室２ｂをそれぞれ加温、冷却することができる。第一断熱壁２８は、装置本体２１を上下に分割し、商品収容棚２５と制御装置２７を断熱する第二断熱壁２９と嵌合している。商品搬送装置２６は上室２ａと下室２ｂに設けられ上室２ａの商品搬送装置２６は搬出された商品を下方へ運び、下室２ｂに設けられた商品搬送装置２６は搬出された商品を上方へ運ぶ。商品搬送装置２６によって運ばれた商品は第二断熱壁２９に設けられた販売フラップ２ｃを通り、商品取り出し装置７より消費者の手に渡る。図３に第一断熱壁の斜視図を示す。図３において、３１は薄板で作られた上パネルであり、上室２ａに配置された蒸発装置３２からの水を集めるために蒸発装置３２の配置部３３を囲むように絞り形状が設けられている。また絞りの最深部には排水用の貫通穴３４があいている。下パネル３５にも貫通穴３４が設けられており、上パネル３１と下パネル３５で断熱材を挟み込んで第一断熱壁２８を構成する。また貫通穴３４周辺には上パネル３１と下パネル３５の間に発泡スチロールなどの硬質の断熱材を介して第一断熱壁２８に貫通穴３４を構成する。また、第一断熱壁２３には上室２ａに配置された蒸発装置３２からの配管３６を保護するために、断熱を考慮して樹脂で成形されたカバー３９が取り付けられている。第一断熱壁２８に貫通穴３４と絞り形状を設けることによって、上室２ａに蒸発装置３２を配置でき、蒸発装置３２から排出される水は、下室２ｂの内箱２３の底面へと導く排水管を通る。よって、上室２ａと下室２ｂの両室に冷熱装置３８を設けることができ加温された商品と冷却された商品を同時に販売することができる。これによって、季節、天候などの理由で多様化している消費者のニーズに応える商品を提供する自動販売機を実現する。
【００１３】
（実施の形態２）
図４は、本発明の実施の形態２における要部正面図であり，断熱などを考慮して、樹脂などで作られている案内板４１は第一断熱壁４２の下面にビス４３などを用いて固定される。また案内板４１はもう一方の端が、内箱４４の側面と下室４５の蒸発装置４６ｂの間に来るように固定されている。これにより、排水管４７を内箱４４の側面まで案内するだけでなく、案内板４１によって排水管４７に蒸発装置４６ｂとファン４８より吹き出された冷風が直接排水管４７に当たり、上室２ａに配置された蒸発装置４６ａより排出される水が排水管４７を流れる際に凍ることのない構造としている。
【００１４】
さらに、もし、排水管４７が上室２ａの貫通穴３４より外れる事態が起きたとしても上室２ａの貫通穴３４より下室４５へ流れる水は案内板４１を伝って落ちることにより、下室４５に設けられたファン４８と蒸発装置４６に水がかかることはなくファン４８と蒸発装置４６の凍結を防ぐことができる。
【００１５】
（実施の形態３）
図５は、本発明の実施の形態３における斜視図である。図５において、案内板５１には排水管を保持するストッパー５２とストッパー５２と案内板５１をロックするロック部５３が設けられている。ストッパー５２は、弾力性のある板ばねなどで構成される。ロック部５３は、案内板５１に設けられた切り込みにストッパー５２に設けられた凸部を差し込む構造としている。
【００１６】
なお、以上の説明ではロック部５３を板ばねと案内板の切り込みで構成した例で示したが、その他の回転を利用した止め具や磁石を用いたロック構造も同様に実施可能である。
【００１７】
（実施の形態４）
図６は、本発明の実施の形態４における要部斜視図である。図６において、６１は、上部横断熱壁であり薄板で構成されたパネル６２に断熱材がつめられている。同様に構成された下部横断熱壁６３の上面と上部横断熱壁６１の下面に設けられたサッシュ６４により第一断熱壁６５と外気を遮断している。ここでサッシュ６４は硬質塩ビでつくられた硬質部６６の断面を持ち、軟質部６７のヒレの圧縮により第一断熱壁６５と外気を遮断する。
【００１８】
また、上部断熱壁６１と下部断熱壁６３は、独立して開閉することができ片側の冷熱装置を修理点検する場合でも、もう片側の冷熱装置を運転したまま作業が可能となる。
【００１９】
（実施の形態５）
図７は、本発明の実施の形態５における要部斜視図である。図７において、第一断熱壁７１の嵌合部は斜面により構成されており、上部横断熱壁７２の下面には前面より背面に向かって上り勾配が設けられており、硬質部７３と軟質部７４で構成されたサッシュ７５が取り付けられている。また、下部横断熱壁７６の上面には前面より背面に向かって下り勾配が設けられており、下部横断熱壁７６の上面には同様にサッシュ７５が取り付けられている。
【００２０】
これによって、第一断熱壁７１と上部横断熱壁７２の下面と下部横断熱壁の上面との嵌合部が斜面の接合により構成され、第一断熱壁７１と上部横断熱壁７２の下面と下部横断熱壁７６の上面との嵌合部の面積が矩形の嵌合より小さくなるため、冷気のもれを少なくすることができる。
【００２１】
【発明の効果】
以上のように本発明によれば、装置本体とドアとからなり販売する商品を外部から視認可能な自動販売機において、前記装置本体を上下に上室と下室とに仕切る第一断熱壁と、前記上室と前記下室の両側にそれぞれ配置され商品を冷却する冷熱装置と、前記第一断熱壁に設けられ前記上室の前記冷熱装置からの水を排水する貫通穴と、前記貫通穴に設けられ前記上室の前記冷熱装置から排出される水を前記下室の底面へと導く排水管と、前記下室の冷風が直接前記排水管に当たって前記排水管を流れる水が凍るのを防ぐ断熱性の案内板とを設けたものである。この本発明によれば、外部から販売する商品を視認可能とする自動販売機において、前記第一断熱壁によって仕切られた上室と下室の両側に冷熱装置を配置することができ、加温された商品と冷却された商品を同時に販売することができる。また、下室の冷風が直接排水管に触れて、排水管の中の水が凍ることを防ぐことができる。
【００２２】
また、本発明の請求項２に記載の発明は、請求項１記載の発明における前記案内板は、前記排水管が前記貫通穴より外れる事態が起きた場合に、前記貫通穴より前記下室へ流れる水が、前記下室の前記冷熱装置及びファンにかからずに、前記案内板を伝って落ちるように、前記排水管を下方より支持し前記下室の側面に向かって下方に傾斜しているものである。この本発明によれば、もし、排水管が上室の排水手段より外れる事態が起きたとしても上室の排水口より下室へ流れる水は案内板を伝って落ちることにより、下室に設けられたファンと蒸発装置に水がかかることはなく前記ファンと前記蒸発装置の凍結を防ぐことができる。
【００２３】
また、本発明の請求項３に記載の発明は、請求項１または２記載の発明における前記案内板に、前記排水管を保持するストッパーと、自動販売機の運転時の振動により前記排水管が容易に外れず前記排水管の取り付け取り外しができるように前記ストッパーと前記案内板をロックするロック部とを設けたことを特徴としており、この本発明によれば、自動販売機の組立作業またはサービス時の作業において前記排水管の取り付け、取り外しが確実であり、また、自動販売機の運転時の振動により前記排水管が容易に外れない。
【図面の簡単な説明】
【図１】本発明の実施の形態１における自動販売機の斜視図
【図２】本発明の実施の形態１における装置本体の斜視図
【図３】本発明の実施の形態１における第一断熱壁の斜視図
【図４】本発明の実施の形態２における自動販売機の要部正面図
【図５】本発明の実施の形態３における案内板の斜視図
【図６】本発明の実施の形態４における断熱壁の要部斜視図
【図７】本発明の実施の形態５における断熱壁の要部斜視図
【図８】従来のショーケースによる商品の販売を自動化した自動販売機の斜視図
【符号の説明】
１  パネル体
２  ドア
３  硬貨投入口
４  商品選択ボタン
５  硬貨返却口
６  接客部
７  商品取り出し装置
２１  装置本体
２２  外箱
２３  内箱
２４  パネル体
２５  商品収容棚
２６  商品搬送装置
２７  制御装置
２８  第一断熱壁
２９  第二断熱壁
２ａ  上室
２ｂ  下室
２ｃ  販売フラップ
３１  上パネル
３２  蒸発装置
３３  配置部
３４  貫通穴
３５  下パネル
３６  配管
３７  第一断熱壁
３８  冷熱装置
４１  案内板
４２  第一断熱壁
４３  ビス
４４  内箱
４５  下室
４６ａ  蒸発装置
４６ｂ  蒸発装置
４７  排水管
４８  ファン
５１  案内板
５２  ストッパー
５３  ロック部
６１  上部横断熱壁
６２  パネル
６３  下部横断熱壁
６４  サッシュ
６５  第一断熱壁
６６  硬質部
６７  軟質部
７１  第一断熱壁
７２  上部横断熱壁
７３  硬質部
７４  軟質部
７５  サッシュ
７６  下部横断熱壁
８１  自動販売機
８２  キャビネット
８３  装置本体
８４  ドア
８５  パネル体
８６  接客部
８７  硬貨投入口
８８  返却レバー
８９  紙幣投入口
８ａ  ドアハンドル
８ｂ  返却口
８ｃ  販売口
【図１】
0003563554.tif 000002
【図２】
0003563554.tif 000003
【図３】
0003563554.tif 000004
【図４】
0003563554.tif 000005
【図５】
0003563554.tif 000006
【図６】
0003563554.tif 000007
【図７】
0003563554.tif 000008
【図８】
0003563554.tif 000009